(57)【要約】【課題】文字入力用のユーザーインターフェースを有しない電子機器であっても、セキュリティの高い認証を実現可能とする。【解決手段】Bluetooth通信部１０３を備え、通信相手となる携帯電話機２０との間で前記Bluetooth通信部１０３を介して無線通信リンクを確立する際に、前記携帯電話機との間で暗証コードを交換して認証処理を実行するハンズフリー通話装置１０であって、前記暗証コードを生成するランダム暗証コード生成部１０４と、前記ランダム暗証コード生成部１０４が生成した暗証コードを表示する表示部１０２とを備え、前記表示部１０２によって表示された暗証コードに基づいて前記認証処理を実行する構成とした。【選択図】図２
2008085423.tif 000002
【特許請求の範囲】
【請求項１】
無線通信手段を備え、通信相手となる無線通信機器との間で前記無線通信手段を介して無線通信リンクを確立する際に、前記無線通信機器との間で暗証コードを交換して認証処理を実行する電子機器であって、
前記暗証コードを生成する暗証コード生成手段と、
前記暗証コード生成手段が生成した暗証コードを報知する報知手段とを備え、
前記報知手段によって報知された暗証コードに基づいて前記認証処理を実行する
ことを特徴とする電子機器。
【請求項２】
請求項１に記載の電子機器において、
前記暗証コード生成手段は、ランダムな値の暗証コードを生成する
ことを特徴とする電子機器。
【請求項３】
請求項１又は２に記載の電子機器において、
通信相手となり得る無線通信機器に設定されている暗証コードを予め格納する暗証コード格納手段と、
前記暗証コード生成手段が生成した暗証コード及び前記暗証コード格納手段に格納されている暗証コードのいずれかを選択する暗証コード選択手段とを備え、
前記暗証コード選択手段によって選択された暗証コードに基づいて前記認証処理を実行する
ことを特徴とする電子機器。
【請求項４】
請求項１乃至３のいずれかに記載の電子機器において、
前記無線通信手段は、Bluetooth規格に準拠して無線通信する
ことを特徴とする電子機器。
【請求項５】
請求項１乃至４のいずれかに記載の電子機器において、
車両に搭載される車載機器であることを特徴とする電子機器。
【請求項６】
無線通信手段を備え、通信相手となる無線通信機器との間で前記無線通信手段を介して無線通信リンクを確立する際に、前記無線通信機器との間で暗証コードを交換して認証処理を実行する電子機器の暗証コード設定方法であって、
前記暗証コードを生成して当該暗証コードを報知すると共に、報知した暗証コードを前記認証処理に用いる暗証コードとして設定することを特徴とする暗証コード設定方法。
【発明の詳細な説明】
【技術分野】
【０００１】
本発明は、通信相手機器との間で認証処理を行って無線通信リンクを確立する無線通信に係り、特に、認証処理のための暗証コードを設定するための技術に関する。
【背景技術】
【０００２】
近年、例えばBluetooth（登録商標）等の規格に準拠した近距離無線通信機能を有するパーソナルコンピュータや携帯情報端末機器（ＰＤＡ）、携帯電話機等の情報電子機器、さらには、デジタルカメラや家電製品、カーナビゲーション装置やカーオーディオ装置、ハンズフリー通話装置等の車載器といった様々な電子機器が開発されている。
電子機器が近距離無線通信を行う際には、不特定の機器や意図しない機器と無線通信リンクが確立を防止して、これらの機器との間でのデータ通信接続を禁止するために、一般には、無線通信リンクの確立に先立って通信相手機器との間で認証処理が行われている。
この認証処理においては、ＰＩＮ（Personal ID Identification Number）コード等の暗証コードを電子機器間で交換し、この暗証コードを交換した特定の２つの電子機器が、この認証コードで１対１の関連付け（ベアリング）を行うことで、無線通信の認証セキュリティを確保している。
【０００３】
ここで、ダイヤルキー（テンキー）を有した携帯電話機や、キーボードを有したパーソネルコンピュータ等の文字入力用デバイス（ユーザーインターフェース）を有した電子機器（以下、「文字入力機能付き電子機器」と言う）においては、当該文字入力用デバイスから上記暗証コードが手入力可能に構成されており、また、カーオーディオ装置やヘッドホン等の入力用デバイスを有さない電子機器（以下、「文字入力機能無し電子機器」と言う）においては、機器内部のメモリに認証コードが予め記憶されている。
したがって、文字入力機能付き電子機器間で無線通信する際には、各文字入力機能付き電子機器に対して同じ認証コードを手入力することで、この認証コードに基づいて認証処理が行われ、また、一方の電子機器が文字入力機能無し電子機器である場合には、当該文字入力機能無し電子機器に予め記憶されている認証コードを、文字入力機能付き電子機器に入力することで認証が行われる（例えば、特許文献１参照）。
【特許文献１】特開２００１−２９８５３１号公報
【発明の開示】
【発明が解決しようとする課題】
【０００４】
しかしながら、機器内部のメモリに予め記憶されている認証コードは、第三者に知られている可能性があり、当該認証コードを使用しての認証処理はセキュリティが弱いという問題がある。また、同一製品の電子機器には共通の認証コードが予めデフォルト値として設定されている場合があり、このような場合に、通信している電子機器の近くに同一製品の他の電子機器が存在すると、当該他の電子機器との間でも無線通信リンクが確立してしまう恐れがあり、通信内容が第三者に漏洩する恐れがある。
【０００５】
本発明は、上述した事情に鑑みてなされたものであり、文字入力用のユーザーインターフェースを有しない電子機器であっても、セキュリティの高い認証を実現可能な電子機器及び暗証コード設定方法を提供することを目的とする。
【課題を解決するための手段】
【０００６】
上記目的を達成するために、本発明は、無線通信手段を備え、通信相手となる無線通信機器との間で前記無線通信手段を介して無線通信リンクを確立する際に、前記無線通信機器との間で暗証コードを交換して認証処理を実行する電子機器であって、前記暗証コードを生成する暗証コード生成手段と、前記暗証コード生成手段が生成した暗証コードを報知する報知手段とを備え、前記報知手段によって報知された暗証コードに基づいて前記認証処理を実行することを特徴とする。
【０００７】
また本発明は、上記発明において、前記暗証コード生成手段は、ランダムな値の暗証コードを生成することを特徴とする。
【０００８】
また本発明は、上記発明において、通信相手となり得る無線通信機器に設定されている暗証コードを予め格納する暗証コード格納手段と、前記暗証コード生成手段が生成した暗証コード及び前記暗証コード格納手段に格納されている暗証コードのいずれかを選択する暗証コード選択手段とを備え、前記暗証コード選択手段によって選択された暗証コードに基づいて前記認証処理を実行することを特徴とする。
【０００９】
また本発明は、上記発明において、前記無線通信手段は、Bluetooth規格に準拠して無線通信することを特徴とする。
【００１０】
また本発明は、上記発明において、車両に搭載される車載機器であることを特徴とする。
【００１１】
上記目的を達成するために、本発明は、無線通信手段を備え、通信相手となる無線通信機器との間で前記無線通信手段を介して無線通信リンクを確立する際に、前記無線通信機器との間で暗証コードを交換して認証処理を実行する電子機器の暗証コード設定方法であって、前記暗証コードを生成して当該暗証コードを報知すると共に、報知した暗証コードを前記認証処理に用いる暗証コードとして設定することを特徴とする。
【発明の効果】
【００１２】
本発明によれば、暗証コード生成手段が生成した暗証コードを報知し、報知した暗証コードに基づいて認証処理を実行するため、文字入力用のユーザーインターフェースを有しない電子機器であっても、既定の暗証コードではなく、新規に生成された暗証コードを用いて認証処理が実行されるため、セキュリティの高い認証が実現される。
【発明を実施するための最良の形態】
【００１３】
以下、本発明の実施形態として、本発明が適用されたハンズフリー通話システムについて図面を参照して説明する。
図１は、本実施形態に係るハンズフリー通話システム１の概略構成を示す図である。
この図に示すように、ハンズフリー通話システム１は、車両５０に搭載されたハンズフリー通話装置１０と、ユーザにより車両５０内に持ち込まれた携帯電話機２０とを有し、ハンズフリー通話装置１０及び携帯電話機２０が互いにBluetooth（登録商標）規格に準拠した近距離無線通信可能に構成されている。携帯電話機２０は、移動通信網３０を介して他の携帯電話機４０や固定電話（図示略）と通話通信するものであり、スピーカやマイク、通話通信のためのアンテナ等を備えている。
【００１４】
ハンズフリー通話装置１０は、運転手や同乗者等のユーザが車両５０内で携帯電話機２０を把持することなく、他の携帯電話機４０や固定電話（図示略）と通話することを可能にする装置であり、ユーザからの送話音声を携帯電話機２０へ送信すると共に、他の携帯電話機４０や固定電話からの受話音声を携帯電話機２０から受信して車両５０内に放音する。
【００１５】
次いで、ハンズフリー通話装置１０のBluetooth通信のための機能的構成について図２を参照して説明する。
図２に示すように、ハンズフリー通話装置１０は、各部を中枢的に制御する制御部１００と、スイッチボタン等の操作子を備えた操作部１０１と、各種情報を表示する表示部１０２と、携帯電話機２０等の各種電子機器とBluetooth通信するBluetooth通信部１０３とを有し、更に、ランダム暗証コード生成部１０４と、デフォルト暗証コード格納部１０５と、暗証コード選択部１０６とを備えている。
【００１６】
ランダム暗証コード生成部１０４は、乱数を発生する乱数発生部１１０を有し、乱数に基づいて所定コード長のランダムな値の暗証コード（以下、「ランダム暗証コード」と言う）を生成するものであり、デフォルト暗証コード格納部１０５は、通信相手となり得る電子機器（無線通信機器）の暗証コードを記録した固有暗証コードデータ１１１を格納するものである。
固有暗証コードデータ１１１は、図３に示すように、通信相手となり得る電子機器の種類を示す機器カテゴリと、当該電子機器を製造したメーカ名と、当該電子機器の型番と、当該電子機器のメモリに予め格納されている暗証コードの既定値（以下、「デフォルト暗証コード」と言う）とを対応付けて記録するデータであり、特に、上記デフォルト暗証コード格納部１０５には、文字入力用のユーザーインターフェースを有していない複数種類の電子機器についての固有暗証コードデータ１１１が格納されている。
【００１７】
暗証コード選択部１０６は、Bluetooth通信における認証処理時に使用する暗証コードを、制御部１００の制御にしたがって、ランダム暗証コード生成部１０４及びデフォルト暗証コード格納部１０５のいずれかから取得し、当該制御部１００に出力する。
暗証コードとして、ランダム暗証コードとデフォルト暗証コードのどちらを使用するかは、上記操作部１０１を操作することでユーザが選択可能に構成されており、選択された暗証コードが暗証コード選択部１０６を介して制御部１００に出力され、表示部１０２に表示されてユーザに報知される。
なお、制御部１００及びランダム暗証コード生成部１０４は共に、マイクロコンピュータ等の演算回路により実現されるものであり、デフォルト暗証コード格納部１０５はＲＯＭ等のメモリにより実現される。
【００１８】
次いで、本実施形態のハンズフリー通話装置１０の動作として、Bluetooth通信における認証処理を行うまでの動作について図４を参照して説明する。
ユーザが操作部１０１を操作して、ランダム暗証コード及びデフォルト暗証コードのどちらを使用するかを選択すると、かかる選択操作が操作部１０１から制御部１００を介して暗証コード選択部１０６に入力され（ステップＳ１）、暗証コード選択部１０６は、選択操作によって暗証コードとして、ランダム暗証コード及びデフォルト暗証コードのどちらが選択されたかを判断することになる（ステップＳ２）。
【００１９】
このとき、ハンズフリー通話装置１０と無線通信リンクを確立させる（無線通信接続する）通信相手先の電子機器が携帯電話機２０である場合、当該携帯電話機２０は、文字入力用のユーザーインターフェースであるダイヤルキー（テンキー）を有し、当該ダイヤルキーにより暗証コードが入力可能であるため、ユーザは、携帯電話機２０に入力する暗証コードとしてランダム暗証コードを選択することになる。また、通信相手先の電子機器がヘッドホンやヘッドセット等の文字入力用のユーザーインターフェースを有しない電子機器、或いは、暗証コードの入力が困難な電子機器の場合は、当該電子機器への暗証コードの入力が不可能、或いは、困難であるため、ユーザは、当該電子機器に予め設定されている暗証コードを認証処理に使用すべくデフォルト暗証コードを選択することになる。
【００２０】
ユーザによってランダム暗証コードが選択された場合には、暗証コード選択部１０６は、ランダム暗証コード生成部１０４にランダム暗証コードを生成させ（ステップＳ３）、このランダム暗証コードを制御部１００に出力する。制御部１００は、ランダム暗証コードが暗証コード選択部１０６から入力されると、そのランダム暗証コードを今回の認証に使用する暗証コードとして表示部１０２に表示してユーザに報知する（ステップＳ４）。
そして、表示部１０２に表示された暗証コードをユーザが携帯電話機２０に入力した後、制御部１００の制御の下、Bluetooth通信部１０３が携帯電話機２０と暗証コードを交換し（ステップＳ５）、交換した暗証コードが、上記ステップＳ４にて報知した暗証コードと一致するか否かに基づいて認証が行われることとなる。
【００２１】
一方、ユーザによってデフォルト暗証コードが選択された場合には、暗証コード選択部１０６は、デフォルト暗証コード格納部１０５からデフォルト暗証コードを取得し制御部１００に出力する（ステップＳ６）。このステップＳ６においては、暗証コード選択部１０６が取得すべきデフォルト暗証コードを特定するために、例えば、電子機器の種類やメーカ名、型番に基づいてユーザが通信相手の電子機器を選択するためのメニュー画面が表示される。そして、ユーザが操作部１０１を操作して目的の電子機器を選択すると、その電子機器と対応付けられているデフォルト暗証コードが固有暗証コードデータ１１１の中から取得されるようになっている。
このようにしてデフォルト暗証コードが制御部１００に入力されると、処理手順が上記ステップＳ５に進み、制御部１００の制御の下、Bluetooth通信部１０３が通信相手先の電子機器（例えばヘッドホン）と暗証コードを交換し、交換した暗証コードが、デフォルト暗証コードと一致するか否かに基づいて認証が行われる。これにより、ハンズフリー通話装置１０とヘッドホンといったように文字入力用のユーザーインターフェースを備えない電子機器同士であっても、共通の暗証コードの交換が可能となる。
【００２２】
以上の一連の処理により、ハンズフリー通話装置１０と、通信相手先となる電子機器との間で共通のランダム暗証コード、又は、デフォルト暗証コードが交換されるため、認証が正常に終了し、ベアリング（関連づけ）が行われて無線通信リンクが確立される（無線通信接続が完了する）。
【００２３】
以上説明したように、本実施形態によれば、ランダム暗証コードを生成し、このランダム暗証コードを表示によって報知すると共に、報知されたランダム暗証コードを認証処理に用いることとしたため、文字入力用のユーザーインターフェースをハンズフリー通話装置１０に設けずとも、当該ハンズフリー通話装置１０に予め格納されている既定の暗証コードではなく、新規に生成されたランダム暗証コードを用いて携帯電話機２０と認証処理を実行することが可能となるため、セキュリティの高い認証が実現可能となる。
【００２４】
ここで、従来、文字入力用のユーザーインターフェースを有しないハンズフリー通話装置にあっては、当該ハンズフリー通話装置に予め格納されている既定の暗証コードを用いて携帯電話機と暗証コードを交換し無線通信リンクを確立するが、例えば、信号待ちや渋滞等によって、携帯電話機のBluetooth通信可能なエリア内に複数のハンズフリー通話装置が存在する場合には、同じ暗証コードが既定値として各ハンズフリー通話装置に設定されていると、携帯電話機が各ハンズフリー通話装置と無線通信接続されてしまい、自車両におけるハンズフリー通話装置だけでなく、意図しない第三者のハンズフリー通話装置にまで、自分の携帯電話機が登録されてしまう恐れがある。このように、第三者のハンズフリー通話装置に自分の携帯電話機が登録されてしまうと、第三者に携帯電話機での通話内容を聞かれてしまったり、第三者のハンズフリー通話装置からの操作により、自分の携帯電話機を経由して電話を掛けられてしまったり、という問題が生じる恐れもある。
【００２５】
これに対して、本実施形態によれば、ランダムに生成された暗証コードを生成するため、上記のように、携帯電話機のBluetooth通信可能なエリア内に複数のハンズフリー通話装置が存在する場合であっても、その携帯電話機が意図しない第三者のハンズフリー通話装置と無線通信接続されるのが防止可能となる。
【００２６】
また、本実施形態によれば、通信相手となり得る電子機器（無線通信機器）に設定されているデフォルト暗証コードを予めデフォルト暗証コード格納部１０５に格納し、ランダム暗証コード生成部１０４が生成するランダム暗証コード及びデフォルト暗証コード格納部１０５に格納されているデフォルト暗証コードのいずれかを選択可能に構成したため、デフォルト暗証コードを選択することで、文字入力用のユーザーインターフェースを有しないヘッドホン等の電子機器とハンズフリー通話装置１０とを暗証コードの入力無しに無線通信接続することが可能となり、さらに、上記ヘッドホンのように、暗証コードが固定（例えば”００００”）された通信相手と無線通信接続ができないという不具合を解消することが可能となる。
【００２７】
なお、上述した実施の形態は、あくまでも本発明の一態様を示すものであり、本発明の範囲内で任意に変形および応用が可能である。
例えば、上述した実施形態において、ランダム暗証コードを表示部１０２に表示してユーザに報知する構成としたが、これに限らず、音声によって報知する構成としても良い。また、ランダム暗証コード及びデフォルト暗証コードのどちらを使用するかの選択を操作部１０１の操作によって選択する構成としたが、これに限らず、音声入力によって選択する構成としても良い。
また、上述した実施形態において、無線通信の一態様としてBluetooth通信を例示したが、無線通信の態様はこれに限らない。
【００２８】
また、上述した実施形態では、本発明を車載機器の一態様たるハンズフリー通話装置１０に適用した場合を例示したが、これに限らず、本発明は、カーオーディオ装置等の車載用音響機器やカーナビゲーション装置といった車載機器にも適用可能であり、また、車載機器以外であっても、無線通信手段を備えた電子機器であれば、任意の電子機器に適用可能であることは勿論である。
【図面の簡単な説明】
【００２９】
【図１】本発明の実施形態に係るハンズフリー通話システムの構成を示す図。
【図２】ハンズフリー通話装置の機能的構成を示すブロック図。
【図３】固有暗証コードデータを説明するための図。
【図４】ハンズフリー通話装置の動作を示すフローチャート。
【符号の説明】
【００３０】
１  ハンズフリー通話システム
１０  ハンズフリー通話装置（電子機器、車載機器）
２０  携帯電話機（無線通信機器）
１００  制御部
１０１  操作部
１０２  表示部（報知手段）
１０３  Bluetooth通信部（無線通信手段）
１０４  ランダム暗証コード生成部
１０５  デフォルト暗証コード格納部
１０６  暗証コード選択部
【図１】
2008085423.tif 000003
【図２】
2008085423.tif 000004
【図３】
2008085423.tif 000005
【図４】
2008085423.tif 000006